(57)【要約】【課題】  地震発生時の急激な振動から、倉庫や収納棚などに収納された物品の飛び出しや落下を防止することのでき、しかも、より確実にしかも効率的に物品を取り出すことのできる飛び出し防止用の網部材（ネット）を提供する。【解決手段】  急激な押圧には強く抵抗し、緩やかな押圧には変形してその形状を維持すると共に、押圧が無い状態では元の形状に徐々に復帰する性質を有する低反発素材、例えば、低反発ウレタン素材を使用して物品の飛び出し防止用網目部材２、及び、物品の飛び出し防止器１を構成する。【選択図】        図１
2007051391.tif 000002
【特許請求の範囲】
【請求項１】
物品の飛び出し又は落下を防止する網目部材において、
急激な押圧には強く抵抗し、緩やかな押圧には変形してその形状を維持すると共に、押圧が無い状態では元の形状に徐々に復帰する性質を有する低反発素材を使用して網目を形成したことを特徴とする物品の飛び出し防止用網目部材。
【請求項２】
請求項１に記載の網部目材において、前記低反発素材は低反発ウレタン素材であることを特徴とする物品の飛び出し防止用網目部材。
【請求項３】
請求項１に記載の網目部材において、前記網目は、多角形状の頂点部が互いに接合された形状であることを特徴とする物品の飛び出し防止用網目部材。
【請求項４】
請求項１に記載の網部材において、前記網目は、面状の低反発素材から網目部分が切除された形状であることを特徴とする物品の飛び出し防止用網目部材。
【請求項５】
請求項１に記載の網目部材において、前記網目は、線状の低反発素材を互いに交差して網目を形成したことを特徴とする物品の飛び出し防止用網目部材。
【請求項６】
急激な押圧には強く抵抗し、緩やかな押圧には変形してその形状を維持すると共に、押圧が無い状態では元の形状に徐々に復帰する性質を有する低反発素材を用いて網目を形成した網目部材と、略矩形状の枠とを備え、前記網目部材の周囲を前記枠に固定したことを特徴とする物品の飛び出し防止器。
【請求項７】
請求項６に記載の飛び出し防止器において、前記網目部材は、異なる材質の前記枠に、固着され又は取り外し可能に固定されていることを特徴とする物品の飛び出し防止器。
【請求項８】
請求項６に記載の飛び出し防止器において、前記網目部材と前記枠とは、同じ材質の低反発素材により一体に形成されていることを特徴とする物品の飛び出し防止器。
【発明の詳細な説明】
【技術分野】
【０００１】
本発明は、低反発ウレタン素材を用いた物品の飛び出し防止用網目部材（ネット）及び低反発ウレタンネットを用いた飛び出し防止器に関する。
【背景技術】
【０００２】
従来から、物品の飛び出しや落下を防止するために網（ネット）を用いることが行われている。特許文献１には、物品棚の棚板からの物品の落下を防止するためにネットを用いた物品落下防止装置が記載されている。図７に、特許文献１に記載の物品落下防止装置を示す。地震の発生等により物品棚に振動が生じると、振動を感知して、回動部材が棚板の水平位置から垂直位置まで回動して、左右の回動部材間に張られたネットにより物品の落下が防止される。
特許文献２には、網目の形を変更可能な網が記載されている。図８に、特許文献２に記載の網目形の変更可能網を示す。網は、菱形の形状の菱目と六角形の亀甲目から構成されており、菱目を横長の菱形に変形し、六角形を方形に近似するように変形することができる。
【０００３】
【特許文献１】特開１１−１９６９６３号公報
【特許文献２】特開２００２−１０５８１９号公報
【発明の開示】
【発明が解決しようとする課題】
【０００４】
近年の地震防止対策の意識の高まりのなかで、物品などを収納する倉庫や収納棚などにおいて、より確実にしかも効率的に、物品を収納し、地震発生時の急激な振動から物品を保護し、物品の飛び出しや落下を防止することのできる飛び出し防止用の網部材（ネット）が必要となっている。
しかしながら、上記特許文献１に記載された落下防止装置のネットは、通常の網を用いたものに過ぎない。
また、上記の落下防止装置では、地震を感知した場合に、ネットを支える回動部材が回動してネットが張られた状態になるので、近距離で発生した震度の大きい地震発生による急激な振動の場合には、回動とネットの設定が間に合わなくなって、ネットにより物品の飛び出しを確実に防ぐことが困難であるという問題点があり、また、通常の状態では、回動部材の回転を元に戻してネットを収納する必要があり、その作業が煩雑であるという問題点を有している。上記の落下防止装置では、物品などを収納する倉庫や収納棚などにおいて、より確実にしかも効率的に、地震発生時の急激な振動から物品を保護して、飛び出しや落下を防止することは困難である。
また、上記特許文献２に記載された網目の形状を変更可能な網は、六角形の亀甲目を、略方形に変形可能であるものに過ぎず、この網を物品の飛び出し防止に使用することや、網目の形状を変形して物品を取り出すことなどは何も想定されていない。
【課題を解決するための手段】
【０００５】
本発明は、急激な押圧には強く抵抗し、緩やかな押圧には変形してその形状を維持すると共に、押圧が無い状態では元の形状に徐々に復帰する性質を持つ低反発素材、例えば、低反発ウレタン素材を用いて網目を形成した物品の飛び出し防止用網目部材、及び、飛び出し防止器を提供することを特徴とする。
【発明の効果】
【０００６】
本発明によれば、地震発生時の急激な揺れに対しては、低反発素材の網目部材が強く抵抗して、物品の飛び出しや落下を防止し、通常では、手で押し広げると暫くは広がったままとなることから、容易に網目から物品を取出すことができ、物品の取出し後は、放置すれば、網目が戻り、飛び出しや落下を防止する機能が復元する。
【発明を実施するための最良の形態】
【０００７】
以下、図面を用いて、本発明の実施の形態について説明する。
図１は、本発明の飛び出し防止器を使用する状態を示した概要図である。
図１において、１は、物品の飛び出し防止具を示す。飛び出し防止具１は、低反発素材の網目部材２と、枠３から構成される。
低反発素材の網目部材２は、例えば、低反発ウレタン素材を使用して網目（ネット）が形成されたものである。
【０００８】
一般の軟質ウレタンフォームは、イソシアネートとポリオールの重合反応、及びイソシアネートと水が反応する泡化反応を主体にする化学反応を利用して製造され、ガラス転移点が−８０〜−６０℃の通常ウレタンフォームとポリオールの構造が調整されてガラス転移点が常温になった低反発ウレタンフォームに大別される。布団、マットレスなどの寝具の市販品の大部分は、反発弾性が大きいために寝心地がよいという理由で、通常ウレタンフォームが使用されている。
【０００９】
本発明の網目部材２は、低反発ウレタン素材を用いて形成されるが、低反発ウレタン素材は、通常、急激な押圧には強く抵抗し、緩やかな押圧には変形してその形状を維持すると共に、押圧が無い状態では元の形状に徐々に復帰する性質を持っている。
低反発ウレタン素材の網目部材２と、枠３とから構成された飛び出し防止具１は、物品４を収納した倉庫、あるいは収納棚の前面に配置される。
【００１０】
地震発生時の揺れにより、物品４が網目部材２に激しく衝突した場合には、低反発素材の網目部材２は、急激な押圧に強く抵抗して、物品４の飛び出しや落下を防止する。
一方、収納した物品４の取り出し時には、手で網目を押し広げることにより、網目は変形して暫く広がったままとなることから、広がった網目から容易に物品４を取り出すことができる。また、物品の取り出し後は、放置すれば網目が元の形状に復帰し、飛び出し防止機能、落下防止機能が復元し、内部に収納された他の物品等の飛び出し等を防止することができる。物品４を内部に収納する場合にも、同様に、手で網目を押し広げることにより、広がった網目を通して容易に物品４を収納することができる。
【実施例１】
【００１１】
図２は、本発明の飛び出し防止用の網目部材２の実施例１を示している。
図２に示される実施例１の網目部材２では、低反発ウレタン素材の線状部５を接続部６で接続することにより網目が形成されている。図２の（ａ）には、菱形の形状の網目を形成する例が示されており、図２の（ｂ）には、矩形の形状の網目を形成する例が示されている。
なお、網目部材２の網目の形状は、菱形、矩形に限らず、他の任意の形状とすることができる。接続部６は、低反発ウレタン素材の接着に適した接着剤を用いて、線状の低反発ウレタン素材を接着することにより、あるいは、低反発ウレタン素材の線状部５の端を溶融して接合することにより、接続部６とすることができる。
実施例１の網目部材２では、接続部６の形成によって強度が付加されることになり、網目部材２の全体の強度を大きくすることが可能であって、破れにくい耐久性のある網目部材２を形成することができる。
【実施例２】
【００１２】
図３は、本発明の飛び出し防止用の網目部材２の実施例２を示している。
図３に示される実施例２の網目部材２では、低反発ウレタン素材の平面状の面状部７から網目を形成するように、切除部８を切り取ることにより網目が形成されている。図３の（ａ）には、菱形の形状の網目を形成する例が示されており、図３の（ｂ）には、矩形の形状の網目を形成する例が示されている。
なお、網目部材２の網目の形状は、菱形、矩形に限らず、他の任意の形状とすることができる。切除部６は、平面状に形成された低反発ウレタン素材の薄板から、網目形状の切断用の型枠を押し当てて、網目形状となるように抜くことにより形成することができる。
実施例２の網目部材２では、平面状の低反発ウレタン素材から型抜きの単純な工程で網目を形成することができ、網目部材２の製造を容易に行うことができる。また、網目部材２の強度に関しては、網目の角部分の形状を滑らかに設定することにより改善することができる。
【実施例３】
【００１３】
図４は、本発明の飛び出し防止用の網目部材２の実施例３を示している。
図４に示される実施例３の網目部材２では、低反発ウレタン素材の線状部９が、交差して交差部１０を形成することにより網目を形成している。
するように、切除部８を切り取ることにより網目が形成されている。図４の（ａ）には、菱形の形状の網目を形成する例が示されており、図４の（ｂ）には、矩形の形状の網目を形成する例が示されている。なお、網目部材２の網目の形状は、菱形、矩形に限らず、他の任意の形状とすることができ、一辺が長い長方形の形状の網目や、線状部９を平行に配置したすだれ状のものを形成することもできる。
実施例３の網目部材２では、交差部１０が接合されていないため、網目形状の網目の変形がより容易になり、より大型の物品を容易に取り出すことができる。
【実施例４】
【００１４】
図５は、本発明の飛び出し防止器の詳細である実施例４を示す。
図５において、飛び出し防止器１は、枠３に網目部材２が固定される例が示されている。
実施例４では、枠３の材質は、網目部材２の材質とは異なり、金属や硬質の合成樹脂、木材等が使用されており、低反発素材の網目部材２が枠３に固定されて飛び出し防止器１が構成される。低反発素材の網目部材２の枠３への固定は、接着剤等を用いた固着や、２枚の枠３により網目部材２を挟んで支持するなどの方法が用いられる。
【００１５】
図６は、本発明の飛び出し防止器の詳細である実施例５を示す。
図６において、飛び出し防止器１は、枠３と網目部材２とが一体的に構成される例が示されている。
実施例５において、枠３の材質は、網目部材２の材質と同じ材質、例えば、ウレタン材料を用いて、飛び出し防止器１として形成することができる。枠３と網目部材２を同じ性質の低反発ウレタン素材として、飛び出し防止器１の全体を低反発ウレタン素材で形成することができる。この低反発性の飛び出し防止器１の枠３を、更に他の装置に取り付けることにより、他の装置に収納された物品の飛び出しを防止することもできる。あるいは、原材料は同じでも、枠３は通常の軟質ウレタン素材として形成し、網目部材２は低反発性ウレタン素材とすることや、枠３部分を硬質の素材として形成するように調整することも可能である。
【図面の簡単な説明】
【００１６】
【図１】図１は、本発明の飛び出し防止器を使用する状態を示した概要図である。
【図２】図２は、本発明の飛び出し防止用の網目部材の実施例１を示す図である。
【図３】図３は、本発明の飛び出し防止用の網目部材の実施例２を示す図である。
【図４】図４は、本発明の飛び出し防止用の網目部材の実施例３を示す図である。
【図５】図５は、本発明の飛び出し防止器の詳細である実施例４を示す図である。
【図６】図６は、本発明の飛び出し防止器の詳細である実施例５を示す図である。
【図７】図７は、従来技術であるネットを用いた物品落下防止装置を示す図である。
【図８】図８は、従来技術である網目形状を変更可能な網を示す図である。
【符号の説明】
【００１７】
１    物品の飛び出し防止器
２    網目部材
３    枠
４    物品
５    線状部
６    接続部
７    面状部
８    切除部
９    線状部
１０    交差部
【図１】
2007051391.tif 000003
【図２】
2007051391.tif 000004
【図３】
2007051391.tif 000005
【図４】
2007051391.tif 000006
【図５】
2007051391.tif 000007
【図６】
2007051391.tif 000008
【図７】
2007051391.tif 000009
【図８】
2007051391.tif 000010